(57)【要約】【課題】自動的に人体の睡眠姿勢を検出して、記憶された個人設定の高さに枕の高さを即時調整し、人体の状態に最も適した枕の高さを提供することで、睡眠品質を効果的に改善し、不眠の確率を下げ、睡眠障害を解決することができる、昇降式枕の提供。【解決手段】本発明の昇降式枕は、即時に人体の睡眠姿勢に基づいて自動的に高さを変えることができ、その内部構造は、主にエアポンプ、空気逃し弁、管路、昇降装置を含む高さコントロールユニットを含んで成り、本発明により、枕に最も適した頭部補助支持高さを提供させ、睡眠品質を効果的に改善し、不眠の確率を低下させ、睡眠障害を解決することができ、本発明は高い実用的価値を備えている。【選択図】図２
2018027303.tif 000002
【特許請求の範囲】
【請求項１】
睡眠姿勢に応じて自動的に高さを調整することのできる昇降式枕であって、
人体の睡眠姿勢を検出し、検出結果に基づいて電子信号を発生する睡眠姿勢検出・命令装置と、
内部に高さコントロールユニットが設置され、前記睡眠姿勢検出・命令装置の前記電子信号を受信して高さを調整する枕と、
を含むことを特徴とする、昇降式枕。
【請求項２】
前記枕がさらに、信号受信及びエア充填放出制御ユニットを含み、かつ前記枕に制御ボックスが組み合わされたことを特徴とする、請求項１に記載の昇降式枕。
【請求項３】
前記枕の外部が底座体と、上座体と、軟質クッション蓋と、軟質クッションで構成され、そのうち、前記底座体と前記上座体の間に空間が留められ、前記空間内に前記高さコントロールユニットを収容できることを特徴とする、請求項１に記載の昇降式枕。
【請求項４】
前記高さコントロールユニットがエアポンプを含み、前記エアポンプがさらに消音部材に連結され、前記消音部材がさらに逆止弁に連結され、前記逆止弁がさらに空気逃し弁に連結され、前記空気逃し弁が１つ以上の昇降装置に連通されたことを特徴とする、請求項１に記載の昇降式枕。
【請求項５】
前記昇降装置がエアバッグを含み、前記エアバッグが直立した略蛇腹管状の構造を呈し、前記エアバッグが前記エアポンプと連通されたことを特徴とする、請求項４に記載の昇降式枕。
【請求項６】
前記エアバッグが、底座体と上座体の間に挟んで設置され、前記エアバッグ外側の底部に下カバー体が設置され、前記下カバー体頂部に上外環状ストッパが設けられ、前記下カバー体に順に第１カバー体、第２カバー体、上カバー体が結合され、前記第１カバー体底部に第１下内環状ストッパと第１下外環状ストッパ、頂部に第１上外環状ストッパが設けられ、前記第２カバー体底部に第２下内環状ストッパ、頂部に第２上外環状ストッパが設けられ、前記上カバー体底部に下内環状ストッパが設けられ、前記上外環状ストッパが前記第１下内環状ストッパとの間でストッパ作用を提供し、かつ前記第１上外環状ストッパが前記第２下内環状ストッパとの間でストッパ作用を提供し、また前記第２上外環状ストッパが前記下内環状ストッパとのストッパ作用を提供することを特徴とする、請求項５に記載の昇降式枕。
【請求項７】
前記高さコントロールユニットに、さらに信号受信及びエア充填放出制御ユニットと、電池と、高さセンサーが設置されたことを特徴とする、請求項４に記載の昇降式枕。
【請求項８】
前記エアバッグ内に弾性部材が設置され、前記各弾性部材の上下がそれぞれ位置決め部材で位置決めされたことを特徴とする、請求項５に記載の昇降式枕。
【請求項９】
前記昇降装置において、前記第１カバー体の適切な位置に、外側に突出した位置決め構造が配置され、球体を含み、かつその外側の前記第２カバー体に、対応する位置決め構造が設けられ、かつ前記球体に対応して摺動補助片が配置されたことを特徴とする、請求項６に記載の昇降式枕。
【発明の詳細な説明】
【技術分野】
【０００１】
本発明は睡眠用枕に関し、特に、即時に人体の睡眠姿勢に基づいて自動的に最も適した高さに変えることができる、昇降式枕に関する。
【背景技術】
【０００２】
睡眠時間は人生の約３分の１の時間を占め、充分な睡眠は人体にとって非常に重要であり、睡眠品質が良好であって初めて一日の疲労を効果的に解消し、元気を養い、翌日の忙しい生活に対応することができる。
【０００３】
しかしながら、現代人は仕事が忙しく、生活にストレスが多いため、多くの人が夜になってベッドに横になっても、とても疲れているにも関わらず、よく眠ることができなかったり、やっと寝付いても、深く眠ることができず、目が覚めやすくなったりすることがある。人が充分な睡眠を取ることができず、生活や睡眠が日夜逆転してしまうと、睡眠品質がより悪くなり、内分泌かく乱が引き起こされると、さらに睡眠品質に影響する。医学研究によると、長期にわたって不眠の人は寿命が一般人より十五年短く、皮膚の老化が加速し、また糖尿病、高血圧、うつ病、心臓病が起こりやすくなり、免疫力も５０％以上低下することが分かっている。
【０００４】
不眠の非常に重要な原因の１つが、適していない枕の使用である。人はそれぞれ体型が異なり、体格が大きい人の枕の高さは、当然相対的に高く、小柄な人の枕の高さは、当然相対的に低い。特に、睡眠時の生理的自然反応と健康上の必要性により、長時間同じ姿勢のままでいると（例えば仰向けで寝る）、荷重を受ける部位が長時間圧迫されて不快感や痛みを引き起こす。このため、人体は睡眠時自然な生理反応で仰向けや横向きで寝ている間に睡眠姿勢を変えており、また１度や２度に留まらない。さらに、人体が仰向け又は横向きのいずれかの向きで寝ているとき、首とベッド表面の間の距離にも、それぞれ互いに違いがある。実際、人体が仰向けで寝ているときには、首の後ろからベッド表面間の距離は相対的に小さく、枕の高さをやや低くする必要がある。しかし、人体が横向きで寝るときは、人体側面に肩があるため、首と頭部のベッド表面に対する距離が増加する。このとき、効果的に頭部と頚部を支えるためには、枕の高さを合わせて増加する必要がある。市販の枕を見てみると、いずれも高さが一定であり、中には区域ごとに高さが異なる枕も製造されているが、寝た後人体が自ら高さの区域に位置を合わせることはできない。特に、人体が長時間横向きで寝ていると血液の循環不良が生じてさまざまな問題が発生する。例えばよく見受けられるのが枕からの落下、肩や首の捻りや痛み、肩の圧迫による疼痛、圧迫性の冷えや麻痺、ひどい場合は五十肩等である。明らかに、自動的に睡眠姿勢に合わせて高さを調整することができない既存の枕では、上述の欠点を回避し、睡眠の問題を解決することはできず、人体の生理的ニーズを真に満たして、よりよい睡眠品質を得ることはできない。
【０００５】
上記従来技術の問題点に鑑み、本発明者は本発明の提供に至ったものであり、本発明を通じて、既存の枕の欠点を改善し、枕の効果をより完全かつ理想的なものにして、実際のニーズを満たすものである。
【発明の概要】
【発明が解決しようとする課題】
【０００６】
前述の従来の枕は高さが一定で、即時に人体の睡眠姿勢に合わせて最も適した高さに調整することができないという欠点を改善するため、本発明の主な目的は、自動的に人体の睡眠姿勢を検出して、記憶された個人設定の高さに枕の高さを即時調整し、人体の状態に最も適した枕の高さを提供することで、睡眠品質を効果的に改善し、不眠の確率を下げ、睡眠障害を解決することができる、エアバッグ昇降式枕を提供することにある。
【０００７】
特に、本発明の代表的な一実施形態による昇降式枕は、内部に設けたエアバッグを利用して高さの調整を行い、高さが不足するときは、エアポンプを利用して気体を充填し、逆に、枕の高さが高過ぎるときは、エアバッグ内の一部気体を排出し、高さを低くして最適な状態を得る。
【課題を解決するための手段】
【０００８】
上述の目的を達成するため、本発明の具体的な手段は、人体に配置し、人体の睡眠姿勢を検出するために用いる睡眠姿勢検出・命令装置を含み、前記人体の睡眠姿勢の状態が有線または無線方式で枕に送信され、前記枕がその信号に基づいてすぐに個人設定の快適な高さに自動調整され、前述の目的を達する。上述の人体の睡眠姿勢検出・命令装置は高さ設定及びスイッチ遠隔操作機能も備えている。前記枕は、さらに信号受信及びエア充填放出制御ユニットを含み、前記枕に必要に応じてスイッチ、充電ポート、指示ランプ、電源接続装置等の操作及び制御装置が設置される。
【０００９】
本発明の枕は高さ調整ができるように、前記枕の外部が底座体、上座体、軟質クッション蓋、軟質クッションで構成され、そのうち、前記底座体と前記上座体間に距離を変更できる空間が形成され、前記空間内に高さコントロールユニットを収容し、高さを調整することができる。
【００１０】
前記高さコントロールユニットは、エアポンプ、消音部材、空気逃し弁、逆止弁、昇降装置、信号受信及びエア充填放出制御ユニット、電池、電源接続装置を含み、そのうち、前記エアポンプが気体充填作用を提供し、管路を通じて前記消音部材に連結され、前記消音部材が前記エアポンプ作動時の騒音を消す作用を提供し、前記消音部材が管路を通じて前記逆止弁に連結され、前記逆止弁が一方向のみに流れる逆流防止保持圧力作用を提供し、前記逆止弁がさらに前記空気逃し弁に連結され、前記空気逃し弁が空気を逃がす作用を提供し、前記空気逃し弁がさらに管路を通じて各昇降装置に連通される。
【００１１】
本発明の代表的な一実施形態では、前記各昇降装置が、エアバッグを含み、前記エアバッグが直立した略蛇腹管状の構造を備え、前記エアバッグが上述の管路装置を通じて前記エアポンプに連通され、前記エアバッグが底座体と上座体の間に挟んで設置され、かつ前記エアバッグ外側の底部に下カバー体が設置され、前記下カバー体の頂部に上外環状ストッパが設けられ、前記下カバー体に順に第１カバー体、第２カバー体、上カバー体が結合され、前記第１カバー体の底部に第１下内環状ストッパ、頂部に第１上外環状ストッパが設けられ、前記第２カバー体の底部に第２下内環状ストッパ、頂部に第２上外環状ストッパが設けられ、前記上カバー体の底部に下内環状ストッパが設けられ、前記上外環状ストッパが前記第１下内環状ストッパとの間でストッパ作用を提供し、かつ前記第１上外環状ストッパが前記第２下内環状ストッパとの間でストッパ作用を提供し、また前記第２上外環状ストッパが前記下内環状ストッパとのストッパ作用を提供する。これにより、前記下カバー体、第１カバー体、第２カバー体、上カバー体はいずれも重ねて配置し、伸縮でき、相互に分離しない機能を保持することができる。
【００１２】
前記高さコントロールユニットにさらに、信号受信及びエア充填放出制御ユニット、電池、高さセンサーが設置される。そのうち、前記信号受信及びエア充填放出制御ユニットは高さの状態を決定することができ、前記電池は全体の動作のための電力を提供し、前記高さセンサーは枕の昇降高さを検出することができる。
【００１３】
前記各エアバッグは、必要に応じて弾性部材を設置してもよく、それにより上昇の際の円滑さと力を補助し、かつ枕面の４つの方位に分布させて、枕面の水平度を促進することができる。前記弾性部材の上下はそれぞれ位置決め部材を利用して位置決めする。
【００１４】
前記昇降装置は、前記第１カバー体の適切な位置に、外側に突出した位置決め構造を配置してもよく、球体を含み、かつその外側の前記第２カバー体に対応する位置決め構造を設け、前記球体に対応する摺動補助片を配置し、前記摺動補助片はフッ素樹脂（テフロン＝商品名）材料を採用して製造されるため、摩擦係数が極めて低い摺動補助作用を備えており、これらの構造を利用してより効果的に相互間の円滑な摺動を向上することができる。
【図面の簡単な説明】
【００１５】
【図１】本発明の構成を示すブロック図である。
【図２】本発明の全体の立体分解図である。
【図３】本発明の昇降装置の立体分解図である。
【図４】本発明の昇降装置の断面図である。
【図５】本発明の枕が上昇していない状態の断面図である。
【図６】本発明の実施時人体が仰向けに寝ている状態を示す概略図である。
【図７】本発明の実施時人体が横向きに寝ているときの動作を示す概略図である。
【図８】本発明の昇降装置の上昇時の動作を示す断面図である。
【図９】本発明の枕が上昇するときの動作を示す断面図である。
【図１０】本発明の別の実施例においてエアバッグ内に弾性部材を設置した状態を示す断面図である。
【図１１】図１０の動作を示す断面図である。
【図１２】本発明のさらに別の実施例における昇降装置の構造を示す立体斜視図及び部分断面図である。
【発明を実施するための形態】
【００１６】
本発明の昇降式枕の構造と、その生じる作用効果について、以下、図面を組み合わせ、本発明の最良の実施例を挙げて、詳細に説明する。
【００１７】
まず図１に示すように、本発明の昇降式枕は、人体に配置し、人体の睡眠姿勢を検出するために用いる睡眠姿勢検出・命令装置を含み、前記人体の睡眠姿勢の状態が有線または無線方式で枕３に送信され、前記枕３がその信号に基づいてすぐに最適な高さに自動調整され、前述の目的を達する。前記枕３が、さらに信号受信及びエア充填放出制御ユニット２と、高さコントロールユニット４を含み、かつ前記枕３に必要に応じてスイッチ、充電ポート、指示ランプ、電源接続等の操作及び制御装置等の部材が設置される。
【００１８】
図２、図３、図４に示すように、前記枕３の外部は底座体３１、上座体３２、軟質クッション蓋３３、軟質クッション３４で構成され、そのうち、前記底座体３１と上座体３２の間に距離空間が形成され、前記空間内に高さコントロールユニット４を収容することができる。前記高さコントロールユニット４は、エアポンプ４１、消音部材４２、空気逃し弁４３、逆止弁４２２、昇降装置４４、信号受信及びエア充填放出制御ユニット２、電池４６を含む。
【００１９】
そのうち、前記エアポンプ４１が気体充填作用を提供し、管路を通じて前記消音部材４２に連結され、前記消音部材４２が前記エアポンプ作動時の騒音を消す作用を提供し、前記消音部材４２が管路を通じて前記逆止弁４２２に連結され、前記逆止弁４２２が一方向のみに流れる逆流防止保持圧力作用を提供し、前記逆止弁４２２がさらに前記空気逃し弁４３に連結され、前記空気逃し弁４３が空気を逃がす作用を提供し、前記空気逃し弁４３がさらに管路を通じて各昇降装置４４に連通される。
【００２０】
本実施例では、前記各昇降装置４４が、エアバッグ４４１を含み、前記エアバッグ４４１が直立した略蛇腹管状の構造を備え、前記エアバッグ４４１が前記エアポンプ４１と連通され、前記エアバッグ４４１が底座体４４３と上座体４４２の間に挟んで設置され、かつ前記エアバッグ４４１の外部に下カバー体４４４が設置され、前記下カバー体４４４の頂部に上外環状ストッパ４４４１が形成され、前記下カバー体４４４に順に第１カバー体４４５、第２カバー体４４６、上カバー体４４７が結合される。
【００２１】
前記第１カバー体４４５の底部に内側の第１下内環状ストッパ４４５１、第１下外環状ストッパ４４５３、頂部に第１上外環状ストッパ４４５２が設けられ、前記第２カバー体４４６の底部に第２下内環状ストッパ４４６１、頂部に第２上外環状ストッパ４４６２が設けられ、前記上カバー体４４７の底部に下内環状ストッパ４４７１が設けられ、前記上外環状ストッパ４４４１が前記第１下内環状ストッパ４４５１との間でストッパ作用を提供し、かつ前記第１上外環状ストッパ４４５２が前記第２下内環状ストッパ４４６１との間でストッパ作用を提供し、また前記第２上外環状ストッパ４４６２が前記下内環状ストッパ４４７１とのストッパ作用を提供する。
【００２２】
これにより、前記下カバー体４４４、第１カバー体４４５、第２カバー体４４６、上カバー体４４７はいずれも重ねて配置され、伸縮でき、相互に分離しない機能を保持することができる。
【００２３】
前記高さコントロールユニット４には、さらに、信号受信及びエア充填放出制御ユニット２、電池４６、高さセンサー４７が設置される。そのうち、前記信号受信及びエア充填放出制御ユニット２は高さの状態を決定することができ、前記電池４６は全体の動作のための電力を提供し、前記高さセンサー４７は枕３の昇降高さを検出することができる。
【００２４】
本発明の実施時は、図５、図６に示すように、人体９が仰向けの睡眠姿勢のときは、睡眠姿勢検出・命令装置１がその状態を検出し、前記枕３が相対的に低い位置の状態にある。
【００２５】
図７、図８、図９に示すように、人体９が横向きの睡眠姿勢になると、睡眠姿勢検出・命令装置１がその状態を検出し、前記枕３の高さを高くする必要が生じる。エアポンプ４１により各エアバッグ４４１に気体を充填して上昇させ、枕３の頂面の高さを上昇させて、最も適した高さで人体９の頭部を支えることができる。
【００２６】
人体９が再び仰向けの睡眠姿勢になって枕３の高さを低くする必要が生じると、空気逃し弁４３が開かれてエアバッグ４４１内の一部気体が排出され、これにより自動的に枕３の高さを適切に低くでき、理想的である。
【００２７】
図１０と図１１は、本発明の別の実施例において、前記エアバッグ４４１内に弾性部材４９を設置した状態を示す断面図である。この実施例では、前記エアバッグ４４１内に弾性部材４９を設置することで、上昇の円滑さと力を補助することができる。前記弾性部材４９は位置決め部材４８１、４８２で位置決めされる。
【００２８】
図１２に示すように、本発明のさらに別の実施例では、前記昇降装置４４は、前記第１カバー体４４５の適切な位置に、外側に突出した位置決め構造を配置してもよく、球体４４５６を含み、かつその外側の前記第２カバー体４４６に対応する位置決め構造を設け、前記球体４４５６に対応する摺動補助片４４５５を配置し、前記摺動補助片４４５５はフッ素樹脂（テフロン＝商品名）材料を採用して製造されるため、摩擦係数が極めて低い摺動補助作用を備えており、これらの構造を利用してより効果的に相互間の円滑な摺動を向上させることができる。
【００２９】
上述をまとめると、本発明の枕は即時に人体の睡眠姿勢に基づいて自動的に高さを変化させ、睡眠品質を効果的に改善し、不眠の確率を低下させ、睡眠障害を解決することができる。本発明の技術内容は産業上確実に利用でき、さらに、本発明は先行技術において長期的に存在する問題を効果的に解決し、関連使用者と消費者の長期にわたるニーズを満たすことができるものである。
【００３０】
前述のように実施例を挙げて説明したが、本発明は、その形態と細部を変化させることができ、本発明の要旨を逸脱することなく達成できることが、当業者により理解されるであろう。前述の本発明の最良の実施例は、単に本発明の原理の具体的な実施方法の１つであり、本発明はそれによって限定されず、後記の特許請求の範囲に準じるものである。
【符号の説明】
【００３１】
１        睡眠姿勢検出・命令装置
２        信号受信及びエア充填放出制御ユニット
３        枕
３１      底座体
３２      上座体
３３      軟質クッション蓋
３４      軟質クッション
４        高さコントロールユニット
４１      エアポンプ
４２      消音部材
４２２    逆止弁
４３      空気逃し弁
４４      昇降装置
４４１    エアバッグ
４４２    上座体
４４３    底座体
４４４    下カバー体
４４４１  上外環状ストッパ
４４５    第１カバー体
４４５１  第１下内環状ストッパ
４４５２  第１上外環状ストッパ
４４５３  第１下外環状ストッパ
４４５５  摺動補助片
４４５６  球体
４４６    第２カバー体
４４６１  第２下内環状ストッパ
４４６２  第２上外環状ストッパ
４４７    上カバー体
４４７１  下内環状ストッパ
４６      電池
４７      高さセンサー
４８１    位置決め部材
４８２    位置決め部材
４９      弾性部材
９        人体
【図１】
2018027303.tif 000003
【図２】
2018027303.tif 000004
【図３】
2018027303.tif 000005
【図４】
2018027303.tif 000006
【図５】
2018027303.tif 000007
【図６】
2018027303.tif 000008
【図７】
2018027303.tif 000009
【図８】
2018027303.tif 000010
【図９】
2018027303.tif 000011
【図１０】
2018027303.tif 000012
【図１１】
2018027303.tif 000013
【図１２】
2018027303.tif 000014